(57)【特許請求の範囲】
【請求項１】
連続用紙の幅方向に沿って、カット部とタイ部とが交互に配置された折りミシン目が形成され、
上記折りミシン目は、谷折りされる谷折りミシン目と山折りされる山折りミシン目とが交互に配置され、上記谷折りミシン目における谷折りと上記山折りミシン目における山折りとを繰り返すことにより、上記連続用紙が経本状に折り畳み保管される折り畳み式連続帳票であって、
上記谷折りミシン目はカット部がタイ部よりも短く設定され、かつ、上記山折りミシン目はカット部がタイ部よりも長く設定されている
ことを特徴とする折り畳み式連続帳票。
【請求項２】
上記連続用紙の表面に貼付票および受領票からなる伝票用紙が圧着糊層を介して配置され、上記受領票は上記圧着糊層間に設けられた剥離剤層により剥離可能に接着されてなり、上記連続用紙の裏面には粘着剤層が積層されていることを特徴とする請求項１に記載の折り畳み式連続帳票。
【請求項３】
上記谷折りミシン目のカット部とタイ部の寸法比が１：１．２５乃至２、上記山折りミシン目のカット部とタイ部の寸法比が２乃至３：１の範囲内に設定されていることを特徴とする請求項１または請求項２に記載の折り畳み式連続帳票。
【発明の詳細な説明】
【０００１】
【発明の属する技術分野】
本発明は、百貨店や運送業者等が配送業務に使用する配送伝票に好適な折り畳み式連続帳票に係り、特に、折り畳み後の製品形状が良好となり、ジャム発生等のトラブルを防止することができる折り畳み式連続帳票に関する。
【０００２】
【従来の技術】
従来、百貨店や運送業者等が配送品を発送する際に、配送伝票を商品に貼付して、配送品の流れを管理している。また、近年では、配送伝票として、ラベル用紙に伝票用紙が剥離可能に貼付され、かつ配送品における各種情報の確認が一目瞭然となるように、貼付票や受領票等が同頁内に設けられた一枚仕様の配送伝票が多用されている。
【０００３】
例えば、この種の配送伝票１０は、図７乃至図９に示すように、長尺状に形成された用紙の両側縁部に所定ピッチ毎に送り孔１ａ，１ａ，…が開設された連続用紙１表面に圧着糊層３−２が積層され、裏面に圧着糊層３−１が積層された貼付票２ａ，受領票２ｂからなる伝票用紙２が配置され、貼付票２ａと受領票２ｂとを各票毎に分離するために、紙送り方向中央に沿って、伝票用紙２表面から連続用紙１表面にかけてハーフカット６ａが施されており、受領票２ｂは、圧着糊層３−１上、もしくは圧着糊層３−２上に塗布された剥離剤層８により、圧着糊層３−１，３−２を介して剥離可能に接着されている。
【０００４】
また、連続用紙１裏面には、図示省略の配送品に貼付するための粘着剤層４が塗布されており、粘着剤層４下面には、使用時まで剥離紙５が貼付されている。
【０００５】
また、貼付票２ａ，受領票２ｂからなる伝票用紙２は、紙送り方向に沿って複数枚形成されており、連続用紙１の幅方向（紙送り方向と直交する方向）に沿って、折返しラインＡ，Ａ，…が設定され、スムーズな折返し操作を行なうために、折り返しラインＡ上には、カット部７ａとタイ部７ｂとを交互に配置することにより構成される折りミシン目７が複数本形成されている。
【０００６】
上記構成からなる配送伝票１０は、貼付票２ａ，受領票２ｂに図示省略のノンインパクトプリンタ（レーザービームプリンタ等）により所定情報が印字された後、各伝票用紙２，２，…を分離するために、図示省略のハーフカット機により、配送伝票１０の幅方向に沿って、折りミシン目７から０．５ｍｍ程度ずらした位置に、伝票用紙２表面から剥離紙５表面にかけてハーフカット６ｂが施される。
【０００７】
そして、上記ハーフカット加工が施された後、配送伝票１０は、オートラベラーにセットされ、裏面の剥離紙５が剥離されることにより露出した粘着剤層４の粘着力を利用して配送品に貼付され、当該配送品の管理を行なうというものである。
【０００８】
上記の例のように、長尺状の連続用紙１を使用した配送伝票１０は、保管スペースの問題から、複数本形成された折りミシン目７，７，…に沿って、山折りと谷折りとを交互に繰り返し、経本状に折り畳んだ形で製品とされるが、図１０に示すように、この配送伝票１０は、上述したように、伝票用紙２，疑似接着層３，連続用紙１，粘着剤層４，および剥離紙５からなる積層体であるため、その総厚が厚くなり、配送伝票を折り畳む際に、折りミシン目７，７，…のうち、谷折りするミシン目においては、伝票用紙２に比して紙厚の薄い剥離紙５が外周側となり、ミシン目７が切断され易い。
【０００９】
つまり、この配送伝票１０をオートラベラーにセットして機械貼りを行なう際に、剥離紙５を牽引しながら剥離するが、このときに剥離紙５の谷折りミシン目に該当する箇所、すなわち折返しラインＡ付近において応力集中が起こり、このような応力集中が起こると、折返しラインＡを起点とする剪断応力によってミシン目が切断される（以下、「ハチケ」という）が生じるという問題があった。
【００１０】
また、オートラベラーによる貼付時における剥離紙５のハチケを防止するための手段として、各折りミシン目７のカット部７ａをタイ部７ｂよりも短く設定し、折りミシン目７，７，…が切断されにくくする方法も考えられるが、このように各折ミシン目７のタイ部７ｂを長めに設定すると、図１１に示すように、折り畳み後の配送伝票において、タイ部７ｂが重なり合う用紙の両側縁部が中央部に比べて嵩高となり、最上方に位置する用紙が略Ｕ字状に折曲されてしまい、保管スペースが嵩張る上に、製品形状の見栄えが悪い。
【００１１】
また、一般に、山折りは谷折りに比べて折れ山が厚くなる傾向があり、上記のように切断されにくいミシン目とすると、山折りと谷折りの折れ山の差が一層大きくなるため、山折り側縁部が谷折り側縁部に比べて嵩高となり、折り畳み後の製品の倒れ込みが発生するという問題もある。
【００１２】
また、折り畳まれた用紙の積み上げ量が多くなると、最上紙における略Ｕ字状の曲率がきつくなり、図１２に示すように、プリンタでのスタッカー排紙時に、折りミシン目７，７，…付近の折り返しラインＡにおける折り畳み位置がずれてしまい、正確な折り畳み操作が行われず、オートラベラーでのジャム発生等のトラブルに繋がるという問題があった。
【００１３】
【発明が解決しようとする課題】
本発明は、上記のような問題点に鑑みてなされたものであり、その目的とするところは、オートラベラーにより機械貼りを行なう配送伝票に好適な連続帳票において、特に、折り畳み後の製品形状が良好となり、ジャム発生等のトラブルを防止することができる折り畳み式連続帳票を提供することにある。
【００１４】
【課題を解決するための手段】
上記目的を達成するために、本発明に係る折り畳み式連続帳票は、連続用紙の幅方向に沿って、カット部とタイ部とが交互に配置された折りミシン目が形成され、上記折りミシン目は、谷折りされる谷折りミシン目と山折りされる山折りミシン目とが交互に配置され、上記谷折りミシン目における谷折りと上記山折りミシン目における山折りとを繰り返すことにより、上記連続用紙が経本状に折り畳み保管される折り畳み式連続帳票であって、上記谷折りミシン目はカット部がタイ部よりも短く設定され、かつ、上記山折りミシン目はカット部がタイ部よりも長く設定されていることを特徴とするものである。
【００１５】
また、本発明は、上記連続用紙の表面に貼付票および受領票からなる伝票用紙が圧着糊層を介して配置され、上記受領票は上記圧着糊層間に設けられた剥離剤層により剥離可能に接着されてなり、上記連続用紙の裏面には粘着剤層が積層されていることを特徴とするものである。
【００１６】
また、本発明において、上記谷折りミシン目のカット部とタイ部の寸法比が１：１．２５乃至２、上記山折りミシン目のカット部とタイ部の寸法比が２乃至３：１の範囲内に設定されているとよい。
【００１７】
【発明の実施の形態】
以下、本発明に係る折り畳み式連続帳票の好適な実施形態について、添付図面を参照しながら詳細に説明する。
【００１８】
図１は、本発明に係る折り畳み式連続帳票を配送伝票に適用した例を示す外観平面図、図２は、図１中II−II線断面図、図３は、図１中III−III線断面図、図４は、図１に示した配送伝票の要部拡大平面図である。
【００１９】
本実施形態における配送伝票２０は、図１乃至図３に示すように、長尺状に形成された用紙の両側縁部に所定ピッチ毎に送り孔１１ａ，１１ａ，…が開設された連続用紙１１表面に圧着糊層１３−２が積層され、裏面に圧着糊層１３−１が積層された貼付票１２ａ，受領票１２ｂからなる伝票用紙１２が配置され、受領票１２ｂは、圧着糊層１３−１上、もしくは圧着糊層１３−２上に塗布された剥離剤層１８により、圧着糊の接着力が弱められ、圧着糊層１３−１，１３−２を介して剥離可能に接着されている。
【００２０】
また、連続用紙１１裏面には、図示省略の配送品に貼付するための粘着剤層１４が塗布されており、粘着剤層１４下面には、使用時まで剥離紙１５が貼付されている。
【００２１】
また、貼付票１２ａと受領票１２ｂとを各票毎に分離するために、紙送り方向中央に沿って、伝票用紙２表面から連続用紙１表面にかけてハーフカット１６が施されている。
【００２２】
さらに、貼付票１２ａ，受領票１２ｂからなる伝票用紙１２は、連続用紙１１の紙送り方向に沿って複数枚形成されており、各伝票用紙１２，１２，…を区分するために、連続用紙１１の幅方向（紙送り方向と直交する方向）に沿って、折返しラインＡ，Ａ，…が設定され、スムーズな折返し操作を行なうために、折り返しラインＡ上には、カット部１７ａとタイ部１７ｂとを交互に配置することにより構成される折りミシン目１７が複数本形成されている。
【００２３】
また、上記折りミシン目１７は、谷折りされる谷折りミシン目１７−１と山折りされる山折りミシン目１７−２とが紙送り方向に沿って交互に配置されてなり、谷折りミシン目１７−１を折り返しラインとして谷折りを行ない、山折りライン１７−２を折返しラインとして山折りを行ない、この谷折りおよび山折りを繰り返すことにより、経本状に折り畳み保管することができるが、本発明においては、谷折りミシン目１７−１のカット部１７−１ａおよびタイ部１７−１ｂと、山折りミシン目１７−２のカット部１７−２ａおよびタイ部１７−２ｂとが異なる寸法に設定されていることが特徴である。
【００２４】
すなわち、図４に示すように、谷折りミシン目１７−１においては、カット部１７−１ａがタイ部１７−１ｂよりも短く設定されており、これに対して、山折りミシン目１７−２は、カット部１７−２ａがタイ部１７−２ｂよりも長く設定されている。
【００２５】
つまり、谷折りミシン目１７−１は山折りミシン目１７−２に比べてハチケにくいミシン目に設定されているといえる。
【００２６】
なお、本実施形態では、谷折りミシン目１７−１のタイ部１７−１ｂは２．５ｍｍ以上に設定され、カット部１７−１ａとタイ部１７−１ｂとの寸法比は、１：１．２５乃至２の範囲内となるように設定されている。一方、山折りミシン目１７−２のタイ部１７−２ｂは１．５ｍｍ以上に設定され、カット部１７−２ａとタイ部１７−２ｂとの寸法比は、２乃至３：１の範囲内となるように設定されている。
【００２７】
次に、上記構成からなる配送伝票２０の作用について、図５および図６に基づき説明する。
【００２８】
図５は配送伝票を谷折りミシン目または山折りミシン目に沿って折返した状態を示す拡大断面図、図６は折り畳み後の配送伝票の状態を示す外観斜視図である。
【００２９】
まず、図５（ａ）に示すように、配送伝票２０の谷折りミシン目１７−１付近の断面状態は、伝票用紙１２が内側に位置し、剥離紙１５が外側に位置するため、伝票用紙１２に比べて紙厚が薄く、折返しラインＡに応力が集中し、剥離紙１５よりも内側に位置するミシン目部分にも応力が加わるため、強固なミシン強度が要求される。
【００３０】
ところが、折返しラインである谷折りミシン目１７−１は、上述したように、カット部１７−１ａがタイ部１７−１ｂよりも短く設定されており、ハチケにくいミシン目に形成されており、オートラベラーによるハチケに耐え得るだけの強度を備えている。
【００３１】
一方、同図（ｂ）に示すように、配送伝票２０の山折りミシン目１７−２付近の断面状態は、伝票用紙１２が外側に位置し、剥離紙１５が内側に位置するため、伝票用紙１２に比べて紙厚が薄く、剥離紙１５よりも外側に位置するミシン目部分には、谷折りミシン目１７−１に比べて応力が加わらない状態である。
【００３２】
つまり、谷折りミシン目１７−１のように強固なミシン強度が要求されない山折りミシン目１７−２は、上述したように、カット部１７−２ａがタイ部１７−２ｂよりも長く設定された切れ易いミシン目に形成されていても、オートラベラーによるハチケは発生しにくい。
【００３３】
したがって、配送伝票２０の谷折りミシン目１７−１、山折りミシン目１７−２のいずれのミシン目付近においても、オートラベラーによるハチケが発生しない構造となっていることが分かる。
【００３４】
次に、上記配送伝票の折り畳み後の製品形状について、図６に基づき説明する。
【００３５】
一般に、谷折りミシン目および山折りミシン目はともに、伝票用紙１２表面側から剥離紙１５の裏面側に向かってミシン刃を入れるため、谷折りミシン目における折返しは正折りとなり、山折りミシン目における折返しは逆折りとなるため、逆折り（山折りミシン目）は正折り（谷折りミシン目）に比べて折れ山が厚くなる傾向がある。
【００３６】
ところで、本発明によれば、山折りミシン目１７−２において、カット部１７−２ａはタイ部１７−２ｂに比べて長く設定されており、これに対して、谷折りミシン目１７−１においては、カット部１７−１ａはタイ部１７−１ｂに比べて短く設定されているため、谷折りミシン目１７−１は山折りミシン目１７−２に比べてハチケにくいミシン目、つまり折れにくいミシン目に設定されているといえる。
【００３７】
したがって、山折りミシン目１７−２に比べて折れ山が厚くなる谷折りミシン目１７−１において、本発明のように、折れにくいミシン目を採用することによって、谷折りミシン目１７−１の折れ山の厚みを山折りミシン目１７−２における折れ山の厚みに揃えることが可能となり、折り畳み後の配送伝票において、図６に示すように、谷折りミシン目１７−１，１７−１，…における折れ山が重なり合う谷折り側壁面の高さｈ１と、山折りミシン目１７−２，１７−２，…における折れ山が重なり合う山折り側壁面の高さｈ２とをほぼ同一高さに揃えることができるため、折り畳み後の製品形状の見栄えを向上させることができる。
【００３８】
また、このように、谷折り側壁面の高さｈ１と山折り側壁面の高さｈ２とを同一の高さに揃えることによって、折り畳み後の配送伝票２０の倒れ込みを防止することができるとともに、図示省略のプリンタでのスタッカー排紙時の折り畳み作業においても、谷折りミシン目１７−１および山折りミシン目１７−２の折りミシン目における折り畳み位置がずれることがなく、配送伝票２０の正確な折り畳み操作を行なうことができるため、機械貼りを行なうオートラベラーにおけるジャム発生等のトラブルを防止することができる。
【００３９】
【発明の効果】
以上、詳細に説明したように、本発明に係る折り畳み式連続帳票によれば、谷折りミシン目において、カット部をタイ部よりも短く設定し、山折りミシン目において、カット部をタイ部よりも長く設定することによって、谷折りミシン目は山折りミシン目に比べて折れにくいミシン目となるため、オートラベラーの牽引力による応力が加わる谷折りミシン目側のハチケを防止することができるとともに、折り畳み後の連続帳票において、谷折り側壁面の高さと山折り側壁面の高さとを同一高さに揃えることができ、折り畳み後の製品形状の見栄えを向上させることができるという効果を奏する。
【００４０】
また、これに付随して、折り畳み後の連続帳票の倒れ込み等の不具合を解消することができるとともに、プリンタ処理後の折り畳み作業においても、谷折りミシン目および山折りミシン目からなる折りミシン目における折り畳み位置がずれることがなく、連続帳票の正確な折り畳み操作を行なうことができ、オートラベラーにおけるジャム発生等のトラブルを防止することができるという効果を奏する。
【図面の簡単な説明】
【図１】本発明に係る折り畳み式連続帳票を配送伝票に適用した例を示す外観平面図である。
【図２】図１中II−II線断面図である。
【図３】図１中III−III線断面図である。
【図４】図１に示した配送伝票のミシン目付近の拡大平面図である。
【図５】配送伝票を折りミシン目に沿って折返した状態を示す拡大断面図であり、（ａ）は谷折りミシン目、（ｂ）は山折りミシン目付近の状態を示す図である。
【図６】折り畳み後の配送伝票の状態を示す外観斜視図である。
【図７】従来の配送伝票の構成を示す外観平面図である。
【図８】図７中VIII−VIII線断面図である。
【図９】図７中IX−IX線断面図である。
【図１０】従来の配送伝票における折り返しライン付近の状態を示す断面図である。
【図１１】従来の配送伝票を折り畳んだ状態を示す外観斜視図である。
【図１２】従来の配送伝票のプリンタでのスタッカー排紙時の状態を示す外観図である。
【符号の説明】
１１  連続用紙
１１ａ  送り孔
１２  伝票用紙
１２ａ  貼付票
１２ｂ  受領票
１３−１，１３−２  圧着糊層
１４  粘着剤層
１５  剥離紙
１６  ハーフカット
１７  折りミシン目
１７−１  谷折りミシン目
１７−１ａ  谷折りミシン目のカット部
１７−１ｂ  谷折りミシン目のタイ部
１７−２  山折りミシン目
１７−２ａ  山折りミシン目のカット部
１７−２ｂ  山折りミシン目のタイ部
１８  剥離剤層
２０  配送伝票（折り畳み式連続帳票）
Ａ  折返しライン
ｈ１  谷折り側壁面の高さ
ｈ２  山折り側壁面の高さ
【図１】
0003642419.tif 000002
【図２】
0003642419.tif 000003
【図３】
0003642419.tif 000004
【図４】
0003642419.tif 000005
【図５】
0003642419.tif 000006
【図６】
0003642419.tif 000007
【図７】
0003642419.tif 000008
【図８】
0003642419.tif 000009
【図９】
0003642419.tif 000010
【図１０】
0003642419.tif 000011
【図１１】
0003642419.tif 000012
【図１２】
0003642419.tif 000013